(57)【要約】【課題】スロットマシンでのメダルが接触する部位を有する筐体外側や筐体内部や筐体内部の例えばホッパ装置の所定の部位に設けることで手の汚れで汚染されたメダルによる故障やトラブルや不具合を減少させる手段を提供する。【構成】筐体１０の内部の構造材に合わせて形成された係着部Ｇ１０とメダル検知手段１３からホッパータンク２１の開口部へと落下するメダルＭの落下位置に合わせてメダルＭを受けとめるための断面を略Ｖ字型に形成させたガイド部Ｇ２０を備えたメダル移動装置Ｇを筐体１０の内部の構造材に着脱可能に嵌め込まれていることで、メダル投入口１１から投入されたメダルＭはメダル検知手段１３を介してガイド部Ｇ２０で受けとめられガイド部他端部Ｇ２２に達したときにオーバーフロー部２３ｂに落下したメダルＭは、オーバーフロー部２３ｂの下方に設けたメダル回収手段３０を通過してコンベアーベルト（図示せず）を介して自動的にメダル研磨手段（図示せず）へ送出する。【選択図】        図４
2007007370.tif 000002
【特許請求の範囲】
【請求項１】
メダルを利用する回胴式遊技機の筐体内部または筐体外部のメダルの接触部位を変化させるために、前記筐体内部に設けたホッパー装置またはその周辺部と前記筐体外部に設けたメダル投入部または前記筐体内部に設けたメダル検知手段との間にメダルの流れの方向を変化させる手段を設けたことを特徴とする、メダル落下方向制御手段。
【請求項２】
前記メダル方向変化手段を前記ホッパー装置の所定の部位に着脱可能に設けたことを特徴とする、請求項１に記載のメダル落下方向制御手段。
【請求項３】
前記メダル方向変化手段を前記筐体内部の所定の部位に着脱可能に設けたことを特徴とする、請求項１に記載のメダル落下方向制御手段。
【請求項４】
前記メダル方向変化手段が、前記ホッパー装置の所定の部位または前記筐体内部の所定の部位に着脱可能に取付ける係着部、メダルを保持しながら移動させるためのガイド部を備えたメダル移動装置であることを特徴とする、請求項１から請求項３のいずれかに記載のメダル落下方向制御手段。
【請求項５】
前記メダル移動装置のガイド部の一端部から他端部の前記メダルを受けとめるための断面が略Ｖ字型、略Ｕ字型、略コ字型であることを特徴とする、請求項４に記載のメダル落下方向制御手段。
【請求項６】
前記ガイド部の一端部から他端部まで傾斜するように形成させたことを特徴とする、請求項４に記載のメダル落下方向制御手段。
【発明の詳細な説明】
【技術分野】
【０００１】  本発明は、メダルを利用する回胴式遊技機の筐体内部または筐体外部のメダルの接触部位を変化させるために、ホッパー装置またはその周辺部とメダル投入部またはメダル検知手段との間にメダルの流れの方向を変化させる手段を設けたことを特徴とする、メダル落下方向制御手段に関するものである。
【背景技術】
【０００２】  図１と図２は、メダルを利用する回胴式遊技機において、例えばスロットマシンの内部を概略的に表した図であり、従来の一般的なスロットマシンＳＭのメダルＭの流れの例を説明する。
スロットマシンＳＭでは、筐体１０の内部にホッパー装置２０が設けられていて、例えば、ホッパー装置２０は、筐体１０の内部に配設され内部にメダルを貯留するホッパータンク２１と、このホッパータンク２１の下方内部にメダル払い出し手段（図示せず）が設けられ、ホッパータンク２１の下方外側にはメダル払い出し部２２が設けてあり、ホッパータンク２１の上方周縁部にはオーバーフロー部２３ａとオーバーフロー部２３ｂが設けてあり、このホッパー装置２０の下方周辺に配設されたメダル回収手段３０とメダル研磨手段（図示せず）とはコンベアーベルト（図示せず）で配接されている。
遊技者が遊技中にスロットマシンＳＭのメダル受皿１２からメダルＭを手で保持してメダル投入口１１に投入すると、これをメダル検知手段１３が検出してゲーム可能な状態になる。メダル検知手段１３を通過したメダルは、一時的にホッパー装置２０のホッパータンク２１に蓄積される。回転ドラム１４の図柄組み合わせによるゲームの結果が入賞であると、その入賞の種類に応じた枚数だけメダル払い出し部２２からメダル受皿１２に払い出される。遊技者は払い出されたメダルＭをメダル受皿１２から手で保持してメダル投入口１１に投入するという行為を繰り返すことになる。【０００３】  図３は、スロットマシンＳＭにおいて、例えばホッパー装置２０内の動作を概略的に表した図である。例えば、ホッパー装置２０内のメダルＭの数量はゲームの推移に従って増減するが、メダル投入口１１より投入されるメダルＭの数量の方がメダル払い出し部２２からメダル受皿１２に払い出される数量よりも多くなると、オーバーフロー部２３ａまでメダルが蓄積されると余剰のメダルＭはオーバーフロー部２３ｂを介してオーバーフローしてメダル回収手段３０によって、コンベアーベルト（図示せず）を介して自動的にメダル研磨手段（図示せず）へ送出される。【０００４】  また、例えばスロットマシンＳＭに隣接してメダル供給機（図示せず）を設置してゲームを行う場合には、メダル供給機に紙幣・硬貨を投入するが、カードを差し込んでメダル供給機の供給口からメダル受部に所定の量のメダルを供給させ、遊技者は手でメダル供給機のメダル受部にたまったメダルを保持してスロットマシンＳＭのメダル受皿１２に移す。遊技者は手でメダルＭを保持してメダル投入口１１に投入してゲームを行う。遊技者は上述したようにメダルＭの保持行為を繰り返すことで、メダルＭは遊技者の手の汚れやゴミや脂肪成分で汚染され、汚染されたメダルＭの蓄積により、ホッパータンク２１の内部や前記メダル払い出し手段（図示せず）は手の汚れやゴミや脂肪成分で汚染されことで、故障したりトラブルが発生しやすくなる。また、筐体１０の内部や外側での汚染されたメダルＭと接触する部分は、相当の割合で汚染される確率が高くなり、例えば、メダル投入口１１やメダル検知手段１３は故障したりトラブルが発生しやすくなる。【０００５】  つまり、スロットマシンＳＭが順調に作動するためには、ホッパー装置２０が安定して作動することが必要であるが、ホッパー装置２０に関しては、従来から故障したりトラブルが発生しやすいという問題が指摘され、従来からホッパー装置２０に関しての故障やトラブル対策の開発案件が多かった。
例えば、上部にメダル供給口を有し、下部に前記メダル供給口より小さなメダル排出口を有するホッパタンクと、このホッパタンクのメダル排出口に隣接し、メダルがはまり込む複数のメダル穴を有し、前記メダルを前記メダル排出口へ誘導する回転ディスクと、この回転ディスクを回転駆動することにより、遊技者に対してメダルを払い出すホッパモータとを備えたホッパ装置において、前記メダル排出口に設けられた払い出しシュートと、前記払い出しシュートの上に所定の間隔をあけて設けられた払い出しサブシュートとを備えたことを特徴とするホッパ装置の開発案件が知られている。（特許第３３４１８３７号を参照する）【０００６】  また、例えば、遊技者に対してメダルを払い出すホッパーモータとを備えたホッパー装置において、上記ホッパータンクの傾斜面には、その傾斜面に基端部が固定され、自由端部が、回転ディスク位置にあるメダル排出口のほぼ半分を塞ぐように、かつメダル排出口から上方に離れて位置しているとともに、前記傾斜面の傾斜下端からメダル排出口の上方に向かってほぼ水平に延びた弾性を有する金属からなるメダル誘導板を設けたことを特徴とするホッパー装置の開発案件が知られている。（特許第３２１７９３５号を参照する）【０００７】  また、例えば、手動補給と自動補給の双方に対応可能なホッパー装置の提供を課題とし、その解決手段としては、例えば、ホッパータンク４２の傾斜した側面にはメダル排出用の矩形のフロー孔５１が設けられている。フロー孔５１には、フロー孔５１の一部を閉塞する切換手段として矩形のスライド体５２が１点鎖線矢印で示す方向にスライド自在に取付けられている。このスライド体５２によって、フロー孔５１の一部を閉塞し、上位側の上位フロー孔と下位側の下位フロー孔とを択一的に使用可能に切り換えるようになっていることを特徴とする遊技機のホッパー装置の開発案件が知られている。（特開２００５−６８４２号公報を参照する）【０００８】  また、例えば、スロットマシンへのメダルの補給時に、前面ドアを少しだけ開いてメダルを補給しても、補給メダルの一部がオーバーフロー通路に入らずに、確実にホッパーへ補給できるようにし、かつ、メダル補給の容易化と低コストでドラム装置の大型化等にも対応できる新規なメダルの補給構造を課題とし、例えば、ホッパー装置のメダル貯留皿の前面壁上縁に略等辺台形状に形成したメダル補給ガイド板を回動自在に固定する。これにより、スロットマシンへのメダルの補給時に、前面ドアを少しだけ開いてメダルを補給しても、メダル補給に必要な空間領域が確保できるので、補給メダルの一部がオーバーフロー通路に入らずに、確実にホッパーへ補給できると共に、メダル補給の容易化と低コストでドラム装置の大型化等にも対応できる新規なメダルの補給構造が知られている。（特開２００４−１７３９３９号公報を参照する）【０００９】  また、例えば、遊技場の事情に応じてメダル収容枚数を調整することができるスロットマシンのメダルホッパーの提供を課題とし、その解決手段として、例えば、１ゲームごとに機内に投入されるメダルを受けて貯留するとともに、その貯留されているメダルの中から入賞時に賞出されるメダルを供給し、貯留されてい���メダルが一定量を超えると、側壁部に設けたオーバーフロー穴３ｄから余剰のメダルを外部に排出するようにしたスロットマシンのメダルホッパー３において、オーバーフロー穴３ｄに開口幅を調節するシャッター３ｅを設けることを特徴とするスロットマシンのメダルホッパーが知られている。（実用新案登録第３０９９５７３号公報を参照する）
【発明の開示】
【発明が解決しようとする課題】
【００１０】  ところが、例えば、特許第３３４１８３７号のホッパ装置の開発案件ではメダル排出口に設けられた払い出しシュートと払い出しシュートの上に所定の間隔をあけて設けられた払い出しサブシュートとを備える必要があり、また特許第３２１７９３５号のホッパー装置の開発案件では傾斜面の傾斜下端からメダル排出口の上方に向かってほぼ水平に延びた弾性を有する金属からなるメダル誘導板を設ける必要があり、また特開２００５−６８４２号公報の遊技機のホッパー装置の開発案件ではスライド体によってフロー孔の一部を閉塞し上位側の上位フロー孔と下位側の下位フロー孔とを択一的に使用可能に切り換えるようになっていたり、また特開２００４−１７３９３９号公報のホッパー装置のメダルの補給構造の開発案件ではホッパー装置のメダル貯留皿の前面壁上縁に略等辺台形状に形成したメダル補給ガイド板を回動自在に固定する必要があり、また実用新案登録第３０９９５７３号公報のスロットマシンのメダルホッパーの開発案件ではオーバーフロー穴に開口幅を調節するシャッターを設ける必要があり、夫々、特徴あるホッパ装置を企画したり設計したり製作したりする必要があり相当なコストと開発期間が必要であり、また従来のホッパ装置に手を加えたり加工したりすることは各種の規制の問題で難しく、結果的に顧客からの要望があってもすぐに対応する事は難しかった。【００１１】  本発明は、上記の課題を解決するために成されたものであり、メダルを利用する回胴式遊技機において例えばスロットマシンでの手の汚れやゴミや皮脂成分で汚染されたメダルが接触する可能性を有する筐体外側や筐体内部や筐体内部の例えばホッパー装置の所定の部位に一切の加工を不要としながら故障やトラブルや不具合を無くしたり減少させる手段の提供を目的とする。
【課題を解決するための手段】
【００１２】  課題を解決するための第一の手段として、メダルを利用する回胴式遊技機の筐体内部または筐体外部のメダルの接触部位を変化させるために、前記筐体内部に設けたホッパー装置またはその周辺部と前記筐体外部に設けたメダル投入部または前記筐体内部に設けたメダル検知手段との間にメダルの流れの方向を変化させる手段を設けたことを特徴とする、メダル落下方向制御手段を提供する。【００１３】  前記回胴式遊技機に関しては、パチスロ、スロットマシン、その他各種ゲーム機があり、メダルを用いてゲームを行うもので、メダル供給機が隣接されるものであるならば、どのようなものでもよい。また、前記回胴式遊技機へのメダル供給手段が、自動で行うものと、手動で行うものとがあり、どちらを用いてもかまわない。
前記メダル検知手段に関しては、メダルが通過したか否かを判定する機能を備えていれば光学センサーや磁気センサー以外でも使用可能であり、メダルの真贋を判定する機能を備えていれば光学センサーや磁気センサー以外でも使用可能であり、例えばメダルセレクタ（メダル真偽判定選別計数器）などが知られている。【００１４】  また、前記ホッパー装置に関しては、下記のようなタイプが知られているが、ごく一般的な例であり、オーバーフロー部を備えたタイプであれば、何を用いても構わない。
例えば、ホッパー装置をスロットマシンの筐体内に組み込んだ状態では、メダルホッパーの上方に、メダル投入口に投入されたメダルの落下口が位置し、遊技時には１ゲームごとに落下口からメダルが落下してメダルホッパー内に蓄積されてゆくタイプ。
例えば、上部にメダル供給口を有し、下部に前記メダル供給口より小さなメダル排出口を有するホッパタンクと、このホッパタンクのメダル排出口に隣接し、メダルがはまり込む複数のメダル穴を有し、前記メダルを前記メダル排出口へ誘導する回転ディスクと、この回転ディスクを回転駆動することにより、遊技者に対してメダルを払い出すホッパモータとを備えたホッパ装置のタイプ。
例えば、メダルを貯留するホッパータンクと、前記ホッパータンクからオーバーフローする前記メダルを回収する回収手段と、前記ホッパータンクの側面の上位位置に形成された前記回収手段への前記メダルの流出用の上位フロー孔と、前記ホッパータンクの側面の下位位置に形成された前記回収手段への前記メダルの流出用の下位フロー孔と、前記上位フロー孔及び前記下位フロー孔を選択的に使用可能に切り換える切換手段とを備えているホッパー装置のタイプ。
例えば、１ゲームごとに機内に投入されるメダルを受けて貯留するとともに、その貯留されているメダルの中から入賞時に賞出されるメダルを供給し、貯留されているメダルが一定量を超えると、側壁部に設けたオーバーフロー穴から余剰のメダルを外部に排出するようにしたホッパー装置のタイプ。【００１５】  課題を解決するための第二の手段として、前記メダル方向変化手段を前記ホッパー装置の所定の部位に着脱可能に設けたことを特徴とする、課題を解決するための第一の手段に記載のメダル落下方向制御手段を提供をする。【００１６】  前記ホッパー装置の所定の部位に関しては、前記ホッパー装置の上方の周縁部位や中位の壁面の周縁部位のどこでも構わないが、前記ホッパー装置の開口部の周辺やオーバーフロー部またはその周辺あたりでも構わない。
前記に関しては、【００１７】  課題を解決するための第三の手段として、前記メダル方向変化手段を前記筐体内部の所定の部位に着脱可能に設けたことを特徴とする、課題を解決するための第一の手段に記載のメダル落下方向制御手段を提供する。【００１８】  前記筐体内部の所定の部位に関しては、前記筐体内部にはスロットマシンが機能するために必要な各種装置類や各種器具類で構成されているが、前記各種装置類や各種器具類を固定するための構造体や構造材が形成されており、このような構造体や構造材の任意の場所が利用可能である。【００１９】  課題を解決するための第四の手段として、前記メダル方向変化手段が、前記ホッパー装置の所定の部位または前記筐体内部の所定の部位に着脱可能に取付ける係着部、メダルを保持しながら移動させるためのガイド部を備えたメダル移動装置であることを特徴とする、課題を解決するための第一の手段から課題を解決するための第三の手段のいずれかに記載のメダル落下方向制御手段を提供する。【００２０】  前記係着部に関しては、前記筐体内部の所定の部位に着脱可能に取付けたり着脱可能に固定することが可能であればどんな手段でも構わない。また、前記係着部の材質に関しては、金属・合成樹脂・木質系・紙類などから選択して用いられる。
前記ガイド部に関しては、メダルを保持しながら移動させることが可能ならばどんな構造でも材質でも構わない。また、前記ガイド部の表面の特徴に関しても、凹凸状になっていてもよいし平滑でもよい。前記ガイド部の材質に関しては、金属・合成樹脂・木質系・紙類などから選択して用いられる。
前記メダル移動装置に関しては、伸縮可能なもの、屈曲自在なもの、可撓性を備えても、柔軟性を備えても、これらの中から選択してどのようなものを用いてもよく、取り付けや取り外しが簡単で、前記回胴式遊技機の機種の変更などに容易に対応できるものが好ましい。【００２１】  課題を解決するための第五の手段として、前記メダル移動装置のガイド部の一端部から他端部の前記メダルを受けとめるための断面が略Ｖ字型、略Ｕ字型、略コ字型であることを特徴とする、課題を解決するための第四の手段に記載のメダル落下方向制御手段を提供する。【００２２】  前記断面が略Ｖ字型、略Ｕ字型、略コ字型であることに関しては、これらに類似する文字形状であれば、略Ｗ字型、略Ｙ字型、略Ｈ字型、略Ｊ字型、略Ｌ字型、略Ｃ字型、略Ｎ字型、略Ｍ字型、略イ字型、略ウ字型、略エ字型、略ク字型、略サ字型、略ス字型、略セ字型、略タ字型、略テ字型、略ト字型、略ナ字型、略マ字型、略ヌ字型、略ヒ字型、略フ字型、略ヘ字型、略ム字型、略メ字型、略モ字型、略ユ字型、略ヨ字型、略ラ字型、略ル字型、略レ字型、略ロ字型、略ワ字型、などの文字状形体も使用可能である。
また、前記ガイド部が上述した断面形状になるような形成方法に関しては、板状の前記材料から例えばプレス手段を用いて前記文字状形体になるように設計された金型を用いてプレス成型してもよいし、ブロック状の前記材料から例えば切削手段を用いて前記文字状形体になるように選択された工具を用いて切削成形してもよいし、粉体状の前記材料から例えば押し出し手段又はプレス手段を用いて前記文字状形体になるように設計された金型を用いてインジェクション成形またはプレス成型してもよい。【００２３】  課題を解決するための第六の手段として、前記ガイド部の一端部から他端部まで傾斜するように形成させたことを特徴とする、課題を解決するための第四の手段に記載のメダル落下方向制御手段を提供する。【００２４】  前記傾斜の角度に関しては、約１°から約９０°まで使用可能であるが、好ましくは約５°から約６０°までの範囲で形成させることが好ましく、好適には約１０°から約３０°までの範囲で形成させることが好ましい。
【発明の効果】
【００２５】
【００３０】  本発明のメダル落下方向制御手段は、以上のように構成されているので、以下に記載されるような効果を奏する。
例えば図１から図３を参照すると。メダルを利用する回胴式遊技機において例えばスロットマシンＳＭにおいては手の汚れやゴミや皮脂成分で汚染されたメダルＭが接触する可能性を有する場所は、例えば、スロットマシンＳＭの筐体外側にあるメダル投入口１１やメダル受皿１２や、筐体１０の内部にあるメダル検知手段１３やホッパー装置２０の特にホッパータンク２１やメダル払い出し部２２やオーバーフロー部２３ａやオーバーフロー部２３ｂなどであり、これらはメダルＭとの接触により手の汚れやゴミや皮脂成分で汚染されることで、頻繁に掃除や洗浄や研磨作業をする必要があり、怠ると、遊技者に不快な思いをさせたり、故障したりトラブルが生じたり不具合が発生し易くなるが、本発明によって、メダル投入口１１またはメダル検知手段１３からホッパータンク２１までのメダルＭの流れをオーバーフロー部２３ａまたはオーバーフロー部２３ｂまたはメダル回収手段３０に変化させることで、上述した問題を減少させることが可能なメダル落下方向制御手段を提供することができる。【００３１】  本発明によって、メダルを用いる遊技機であればどんなタイプでも使用可能であるので、どんなタイプの前記遊技機でも上述した発明の効果が期待できるメダル落下方向制御手段を提供することができる。【００３２】  本発明によって、メダルを用いる遊技機であればどんなタイプでも合わせて設計して製造することが可能なので、例えば前記メダル移動装置を一旦製品化してしまえば、専門家や業者に依頼しなくても誰でも装着したり取り外したりすることが容易な、上述した発明の効果が期待できるメダル落下方向制御手段を提供することができる。【００３３】  本発明のメダル移動装置のガイド部の一端部から他端部の前記メダルを受けとめるための断面が略Ｖ字型、略Ｕ字型、略コ字型であることによって、メダルの方向を移動させることがスムーズに実施でき、メダルの流れを滞りなくトラブルも発生させることなく変化させることが可能なメダル落下方向制御手段を提供することができる。
【発明を実施するための最良の形態】
【００４０】  以下、本発明の実施の形態について、図１〜図８に基づいて説明する。
図１は従来のスロットマシンの内部を概略的に説明した図である。図２は従来のスロットマシンの内部を概略的に説明した図である。図３は従来のホッパー装置の動作を概略的に説明した図である。図４は本発明の実施の形態例を説明する斜視図である。図５は本発明の実施の形態例を説明する側面透視図である。図６は本発明のメダル移動装置の概略を説明する斜視図である。図７は本発明のメダル移動装置の概略を説明する斜視図である。図８はメダル移動装置の実施の形態例を説明する側面図と正面図である。【００４１】  図１から図８に示すように、ＳＭはスロットマシンであり、ＭはスロットマシンＳＭで使用されるメダルで一度でも人の手に触れた可能性を有するメダルであり、１０はスロットマシンＳＭの筐体であり、１１はメダル投入口であり筐体１０の外側に設けられ大部分は人の手で触れたメダルＭが投入され、１２はメダル受皿であり筐体１０の外側の下部に設けられ、１３はメダル検知手段であり筐体１０の内部に設置され、１４は回転ドラムであり筐体１０の内部に設置される。２０はホッパー装置であり筐体１０の内部に設置され、２１はホッパータンクでありホッパー装置２０でのメダルＭを蓄積する機能を備え、２２はメダル払い出し部でありホッパータンク２１のメダルＭをメダル受皿１２に排出する機能を備え、２３ａはホッパータンク２１内の一定数量を越えたメダルＭをホッパータンク２１外にオーバーフローする機能を備え、２３ｂはオーバーフロー部２３ａからのメダルＭを確実にメダル回収手段を介してコンベアーベルト（図示せず）に誘導させる機能を備え、３０はメダル回収手段でありオーバーフロー部２３ｂからのメダルＭをコンベアーベルト（図示せず）を介して自動的にメダル研磨手段（図示せず）へ送出する機能を備える。Ｇは筐体１０の内部の所定の部位に着脱可能に設けられるメダル移動装置であり、Ｇ１０はメダル移動装置Ｇを筐体１０の内部の所定の部位に着脱可能に設けられる手段を備えた係着部であり、Ｇ２０はメダル移動装置Ｇを構成する主要部位でありメダルＭを保持しながら移動させるためのガイド部であり、Ｇ２１はガイド部Ｇ２０の一端部であり、Ｇ２２はガイド部Ｇ２０の他端部であり、メダル移動装置Ｇはガイド部一端部Ｇ２１とガイド部他端部Ｇ２２との間を傾斜を設けるように形成させることでメダルＭはガイド部一端部Ｇ２１からガイド部他端部Ｇ２２へ重力の作用により移動させる機能を備える。
【実施例１】
【００４２】  図４から図６の実施の形態例では図４から図６に示すように、回転ドラム１４とホッパー装置２０の間に設けてある筐体１０の内部の構造材に合わせて形成された係着部Ｇ１０とメダル検知手段１３からホッパータンク２１の開口部へと落下するメダルＭの落下位置に合わせてメダルＭを受けとめるための断面を略Ｖ字型、略Ｕ字型、略Ｌ字型、略コ字型、略レ字型、に形成させたガイド部Ｇ２０を備えたメダル移動装置Ｇを筐体１０の内部の構造材に着脱可能に嵌め込まれていることで、メダル投入口１１から投入されたメダルＭはメダル検知手段１３で検知またはセレクトされた後にガイド部Ｇ２０で受けとめられ、メダルＭはガイド部Ｇ２０上をスムーズに移動し、メダルＭがガイド部他端部Ｇ２２に達したときにオーバーフロー部２３ｂにスムーズに確実に落下できるようにガイド部他端部Ｇ２２は開口形成されている。オーバーフロー部２３ｂに達したメダルＭは、オーバーフロー部２３ｂに設けた切欠き状又は貫通孔を通過して、オーバーフロー部２３ｂの下方に設け開口形成されたメダル回収手段３０を通過してコンベアーベルト（図示せず）を介して自動的にメダル研磨手段（図示せず）へ送出する。
実施例１によれば、スロットマシンＳＭの遊技者が一度でも手に触れたメダルＭは全て確実に直接オーバーフロー部２３ｂやメダル回収手段３０を介してメダル研磨手段（図示せず）へ送出される。
【実施例２】
【００４３】  図７から図８の実施の形態例より、図７から図８に示すように、メダル移動装置ＧをスロットマシンＳＭに装着する場合の作業者が片手または両手で係着部Ｇ１０を所定の筐体１０の構造材に挟み込むことで装着されメダル移動装置Ｇは筐体１０の所定の部位に固定され本発明の機能が使用されるが、メダル移動装置Ｇが不要になるか交換が必要になり撤去される場合には、作業者が片手または両手で係着部Ｇ１０を所定の筐体１０の構造材から容易に取り外すことができる。
【実施例３】
【００４４】  図７から図８の実施の形態例より、図７から図８に示すように、例えば係着部Ｇ１０の長方向を筐体１０の構造材に水平に装着した場合に、メダル移動装置Ｇの長方向がガイド部一端部Ｇ２１からガイド部他端部Ｇ２２まで傾斜するように形成されており、さらに詳細にはガイド部Ｇ２０は、ガイド部一端部Ｇ２１の位置よりガイド部他端部Ｇ２２の位置が下になるように形成されることで、メダルＭはガイド部一端部Ｇ２１の位置からガイド部他端部Ｇ２２の位置まで移動し重力の作用からガイド部他端部Ｇ２２の開口部から下方に向かって落下が可能になる。
【産業上の利用可能性】
【００５０】  また、上記した両実施形態では、本発明をスロットマシンに適用した場合について説明したが、本発明はスロットマシン以外のメダルを使用する遊技機にも適用することができて、上記した両実施形態と同等の効果を得ることができるのは勿論である。
【図面の簡単な説明】
【００５１】
【図１】従来のスロットマシンの内部を概略的に説明した図である。
【図２】従来のスロットマシンの内部を概略的に説明した図である。
【図３】従来のホッパー装置の動作を概略的に説明した図である。
【図４】本発明の実施の形態例を説明する斜視図である。
【図５】本発明の実施の形態例を説明する側面透視図である。
【図６】本発明のメダル移動装置の概略を説明する斜視図である。
【図７】本発明のメダル移動装置の概略を説明する斜視図である。
【図８】メダル移動装置の実施の形態例を説明する側面図と正面図である。
【符号の説明】
【００５２】ＳＭ      スロットマシン
Ｍ        メダル
１０      筐体
１１      メダル投入口
１２      メダル受皿
１３      メダル検知手段
１４      回転ドラム
２０      ホッパー装置
２１      ホッパータンク
２２      メダル払い出し部
２３ａ    オーバーフロー部
２３ｂ    オーバーフロー部
３０      メダル回収手段
Ｇ        メダル移動装置
Ｇ１０    係着部
Ｇ２０    ガイド部
Ｇ２１    ガイド部一端部
Ｇ２２    ガイド部他端部
【図１】
2007007370.tif 000003
【図２】
2007007370.tif 000004
【図３】
2007007370.tif 000005
【図４】
2007007370.tif 000006
【図５】
2007007370.tif 000007
【図６】
2007007370.tif 000008
【図７】
2007007370.tif 000009
【図８】
2007007370.tif 000010